(57)【要約】【課題】  調光機能に不具合がある調光機能付きのストロボ装置を有効利用する。【解決手段】  ストロボ装置の主基板３０には、調光回路が設けられた副基板４３が組み付けられて調光機能が付加されている。ストロボ装置に対して調光機能の検査を実施し、調光回路から所定の調光機能が得られない場合には、調光回路だけを無効化してから、一定光量のストロボ発光を行うストロボ装置として転用される。ストロボ放電管，メインコデンサ３８，主基板３０上に設けられた主回路部３１から構成されて一定光量のストロボ発光が可能な基本ユニットと、調光回路を接続している抵抗線５４を切断する。これにより、調光回路だけが無効化される。【選択図】        図１０
2005099366.tif 000002
【特許請求の範囲】
【請求項１】
少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続されて付加機能を付加する付加回路を備えたストロボ装置の製造方法において、
基本回路と付加回路との間を電気的に接続する接続手段を切断することによって、付加機能だけを無効化し、付加機能が無効化されたストロボ装置とすることを特徴とするストロボ装置の製造方法。
【請求項２】
少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続されて付加機能を付加する付加回路を備えたストロボ装置の製造方法において、
付加回路内の所定の回路素子を不動作にする加工を施すことによって、付加機能だけを無効化し、付加機能が無効化されたストロボ装置とすることを特徴とするストロボ装置の製造方法。
【請求項３】
前記付加回路は、被写体からのストロボ反射光を受光素子で受光して光量積分を行い、光量積分値が所定レベルに達したときにストロボ発光を停止させる調光機能を付加する調光回路であることを特徴とする請求項１または２記載のストロボ装置の製造方法。
【請求項４】
前記受光素子には、この受光素子に入射する光を規制するための遮光部材が組み付けられており、調光機能を無効化する際には遮光部材を受光素子から取り外すことを特徴とする請求項３記載のストロボ装置の製造方法。
【請求項５】
未露光の写真フイルムが予め装填されたユニット本体に、撮影機構とストロボ装置を内蔵したレンズ付きフイルムユニットの製造方法において、
少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続され、被写体からのストロボ反射光を受光素子で被写体からのストロボ反射光を受光素子で受光して光量積分を行い、光量積分値が所定レベルに達したときにストロボ発光を停止させる調光回路とを有するストロボ装置の調光回路だけを無効化したもの組み込むことにより、一定の発光量でストロボ発光を行うべきレンズ付きフイルムユニットを製造することを特徴とするレンズ付きフイルムユニットの製造方法。
【請求項６】
調光回路の機能検査を実施し、所定の調光機能が得られないストロボ装置に対して調光回路を無効化したものを用いて、一定の発光量でストロボ発光を行うべきレンズ付きフイルムユニットを製造することを特徴とするレンズ付きフイルムユニットの製造方法。
【請求項７】
前記受光素子には、この受光素子に入射する光を規制するための遮光部材が組み付けられており、調光回路を無効化する際には遮光部材を受光素子から取り外すことを特徴とする請求項５または６記載のレンズ付きフイルムユニットストロボ装置の製造方法。
【請求項８】
基本回路と調光回路との間を電気的に接続する接続手段を切断することによって、調光回路を無効化することを特徴とする請求項５ないし７のいずれか１項に記載のレンズ付きフイルムユニットの製造方法。
【請求項９】
調光回路内の所定の回路素子を不動作にする加工を施すことによって、調光回路を無効化することを特徴とする請求項５ないし７のいずれか１項に記載のレンズ付きフイルムユニットの製造方法。
【請求項１０】
未露光の写真フイルムが予め装填されたユニット本体に、撮影機構とストロボ装置を内蔵したレンズ付きフイルムユニットにおいて、
少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続され、被写体からのストロボ反射光を受光素子で被写体からのストロボ反射光を受光素子で受光して光量積分を行い、光量積分値が所定レベルに達したときにストロボ発光を停止させる調光回路とを有するストロボ装置が用いられ、調光回路だけを無効化したストロボ装置を内蔵していることを特徴とするレンズ付きフイルムユニット。
【発明の詳細な説明】
【技術分野】
【０００１】
本発明は、ストロボ装置の製造方法並びにレンズ付きフイルムユニット及びその製造方法に関するものである。
【背景技術】
【０００２】
未露光の写真フイルムが予め装填されたレンズ付きフイルムユニットが各種販売されている。レンズ付きフイルムユニットは、撮影レンズ，シャッタ機構，フイルム巻上げ機構等からなる撮影機構が簡略化されている。また、レンズ付きフイルムユニットには、ストロボ装置を内蔵したものもあり、このようなストロボ装置としては自動調光機能を備えたものも知られている。自動調光機能付きのストロボ装置では、フォトトランジスタやフォトダイオード等の受光素子とコンデンサ等から構成された調光回路を備えており、被写体から反射されてくるストロボ光を受光素子で受光し、受光量に応じた光電流でコンデンサに充電することで光量積分を行う。そして、このコンデンサの充電電圧を、この積分量に応じた積分電圧として出力し、積分電圧量が所定電圧レベルに達したときにストロボ発光を停止する。
【０００３】
また、メインコンデンサを充電するための充電回路やストロボ発光のためにストロボ放電管に印加するトリガ電圧を発生するトリガ回路等を設けたストロボ回路基板に、自動調光のための調光回路を設けた回路基板を組み付けて電気的に接続することで、自動調光機能を付加したストロボ装置が知られている（例えば、特許文献１，２参照）。
【０００４】
【特許文献１】特開２００２−１６９２１５公報
【特許文献２】特開２００１−２０９０９５号公報
【発明の開示】
【発明が解決しようとする課題】
【０００５】
ところで、調光回路では、ストロボ光による露光量すなわち調光レベルが適正となるように受光素子の感度，受光素子に入射光を調節する減光フィルタの透過率，積分用のコンデンサの静電容量等を予め決めているが、調光レベルのバラツキをなくすことは難しい。すなわち、同じ規格の受光素子やコンデンサを用いて調光回路を構成したとしても、個々の部品の特性のバラツキにより、調光レベルにはある程度のバラツキが発生してしまう。そして、ストロボ装置の製造後に、発光検査を行って調光レベルが許容範囲を超えて高くなったり低くなったりしたときには、その調光回路を備えたストロボ装置は、たとえストロボ発光が正常に行うことができたとしても利用できなくなってしまうという問題があった。
【０００６】
また、上記のように調光レベルが許容範囲を超えたストロボ装置に対して調光回路の部品の交換も可能であるが、このような部品の交換を実施することは、交換すべき部品の特定から、ハンダの除去，ハンダ付けを伴う部品の交換までを手作業で行わなくてわならいので作業効率が悪く、また製造コストの上昇を招いてしまう。
【０００７】
本発明は、調光レベルに問題のあるストロボ装置を有効利用できるストロボ装置の製造方法、並びにレンズ付きフイルムユニット及びその製造方法を提供することを目的とする。
【課題を解決するための手段】
【０００８】
請求項１記載のストロボ装置の製造方法では、基本回路と付加回路との間を電気的に接続する接続手段を切断することによって、付加機能だけを無効化し、付加機能が無効化されたストロボ装置とするものである。
【０００９】
請求項２記載のストロボ装置の製造方法では、付加回路内の所定の回路素子を不動作にする加工を施すことによって、付加機能だけを無効化し、付加機能が無効化されたストロボ装置とするものである。
【００１０】
請求項３記載のストロボ装置の製造方法では、付加回路を、被写体からのストロボ反射光を受光素子で受光して光量積分を行い、光量積分値が所定レベルに達したときにストロボ発光を停止させる調光機能を付加する調光回路としたものである。
【００１１】
請求項４記載のストロボ装置の製造方法では、受光素子には、この受光素子に入射する光を規制するための遮光部材が組み付けられており、調光機能を無効化する際には遮光部材を受光素子から取り外すものである。
【００１２】
請求項５記載のレンズ付きフイルムユニットの製造方法では、少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続され、被写体からのストロボ反射光を受光素子で被写体からのストロボ反射光を受光素子で受光して光量積分を行い、光量積分値が所定レベルに達したときにストロボ発光を停止させる調光回路とを有するストロボ装置の調光回路だけを無効化したもの組み込むことにより、一定の発光量でストロボ発光を行うべきレンズ付きフイルムユニットを製造するものである。
【００１３】
請求項６記載のレンズ付きフイルムユニットの製造方法では、調光回路の機能検査を実施し、所定の調光機能が得られないストロボ装置に対して調光回路を無効化したものを用いて、一定の発光量でストロボ発光を行うべきレンズ付きフイルムユニットを製造するものである。
【００１４】
請求項７記載のレンズ付きフイルムユニットの製造方法では、受光素子には、この受光素子に入射する光を規制するための遮光部材が組み付けられており、調光回路を無効化する際には遮光部材を受光素子から取り外すものである。
【００１５】
請求項８記載のレンズ付きフイルムユニットの製造方法では、基本回路と調光回路との間を電気的に接続する接続手段を切断することによって、調光回路を無効化するものである。
【００１６】
請求項９記載のレンズ付きフイルムユニットの製造方法では、調光回路内の所定の回路素子を不動作にする加工を施すことによって、調光回路を無効化するものである。
【００１７】
請求項１０記載のレンズ付きフイルムユニットでは、少なくともメインコンデンサを充電するための充電回路及びストロボ放電管にトリガ電圧を印加するトリガ回路を含む主回路部が主基板に設けられ、主回路部とメインコンデンサとストロボ放電管とによって、少なくとも一定の発光量でストロボ放電管を発光させる基本ユニットと、主基板に組み付けられた副基板に設けられるとともに、主基板上の基本ユニットに電気的に接続され、被写体からのストロボ反射光を受光素子で被写体からのストロボ反射光を受光素子で受光して光量積分を行い、光量積分値が所定レベルに達したときにストロボ発光を停止させる調光回路とを有するストロボ装置が用いられ、調光回路だけを無効化したストロボ装置を内蔵したものである。
【発明の効果】
【００１８】
本発明によれば、調光機能のような付加機能について不具合があるストロボ装置を一定光量を発光するストロボ装置として簡単に転用することができ、資源を有効利用することができる。
【発明を実施するための最良の形態】
【００１９】
図１に調光機能付きのストロボ装置を内蔵した調光タイプのレンズ付きフイルムユニットを示す。調光タイプのレンズ付きフイルムユニット２は、プラスチック製のユニット本体３と、このユニット本体３に巻かれた外装ラベル４とから構成される。
【００２０】
ユニット本体３の上面には、レリーズボタン５、残り撮影可能枚数を表示するカウンタ窓６，充電完了を表示する充電完了表示窓７が設けられている。ユニット本体３の前面には、撮影レンズ８が設けられている。撮影レンズ８の上方にはファインダ９の対物レンズ９ａが設けられ、その右上方に調光用の受光窓１０が設けられている。また、ファインダ９の右側方にストロボ光を被写体に向けて照射するストロボ発光部１１が設けられ、さらにストロボ発光部１１の下方にストロボ操作部材１２が設けられている。ユニット本体３の背面には、撮影ごとに回動操作される巻上げノブ１３が配されている。
【００２１】
巻上げノブ１３を回転操作することでフイルム巻上げが行われ、レリーズボタン５の押圧操作で撮影が行われる。ストロボ操作部材１２は、上下にスライド可能で、これを上方のオン位置にスライド操作すると、ストロボ充電が行われるとともにストロボ発光が許容される。ストロボ充電が完了すると、ユニット本体３の内部で発光ダイオードが点灯し、これを充電完了表示窓７から確認することができる。
【００２２】
ストロボ操作部材１２をオン位置とした状態でストロボ充電が完了していれば、レリーズボタン５を押してシャッタを作動させると、これと同期してストロボ発光部１１よりストロボ光が照射され、ストロボ撮影が行われる。ストロボ操作部材１２をオン位置から下方にスライド操作してオフ位置とすると、ストロボ充電が停止されるとともに、ストロボ発光が禁止される。
【００２３】
図２にユニット本体３の構成を示す。このユニット本体３は、本体基部１５，前カバー１６，後カバー１７，調光機能を有したストロボ装置１８等から構成され、未露光の写真フイルム２１がカートリッジ２２とともに製造時に装填されている。写真フイルム２１としては、ＩＸ２４０形式のものが用いられているが、その他のタイプ、例えば１３５タイプのものであってもよい。
【００２４】
本体基部１５の両側には、フイルム室２３と、カートリッジ室２４とが設けられている。フイルム室２３には、カートリッジ２２から引き出されてロール状にされた写真フイルム２１が収納され、カートリッジ室２４にはカートリッジ２２が収納される。また、本体基部１５の中央には、写真フイルム２１上での撮影コマのサイズ、すなわち露光画面を画定するアパーチャ（図示せず）が形成されており、このアパーチャの前面に露光ユニット２６が組み付けられている。
【００２５】
露光ユニット２６は、撮影レンズ８から写真フイルム２１までの間の撮影光路を遮光する遮光筒の外側に、レリーズボタン５の押圧操作に応答してシャッタ羽根を駆動するシャッタ機構、撮影可能な残りコマ数を表示するフイルムカウンタ機構等を構成する各種部品、撮影レンズ８，ファインダ９のレンズ等を組み付けたものである。この露光ユニット２６の上部には、天板ユニット２７が取り付けられる。この天板ユニット２７は、レリーズボタン５やカウンタ窓６に残りの撮影可能コマ数を拡大して表示するレンズ６ａ等が設けられている。
【００２６】
巻上げノブ１３は、カートリッジ室２４の上部に回転自在に配されており、その下部に一体に設けられた軸がカートリッジ２２のスプール２２ａの一端に係合する。これにより、巻上げノブ１３を回転操作すると、撮影済の写真フイルム２１の部分がカートリッジ２２内に巻き上げられるとともに、未露光の部分がアパーチャの背後にセットされる。
【００２７】
前カバー１６には、撮影レンズ８，ファインダ９の対物レンズ９ａ，ストロボ発光部１１，ストロボ操作部材１２等を露呈させる各種開口や受光窓１０が形成されている。この前カバー１６は、露光ユニット２６やストロボ装置１８が組み付けられた本体基部１５の前面を覆う。
【００２８】
後カバー１７は、写真フイルム２１とカートリッジ２２とを収納した本体基部１５の背面側を覆う。また、後カバー１７には、底蓋１７ａ，１７ｂが形成されている。これらの底蓋１７ａ，１７ｂは、フイルム室２３とカートリッジ室２４との底部を光密に閉じる。底蓋１７ｂは、撮影済の写真フイルム２１を収納したカートリッジ２２をユニット本体３から取り出す際に開かれる。
【００２９】
ストロボ装置１８は、本体基部１５の前面で露光ユニット２６とフイルム室２３との間に爪係合によって組み付けられる。図３に示すように、ストロボ装置１８は、主基板３０に各種の部品が組み付けられている。主基板３０には、ストロボ発光部１１や、充電回路とトリガ回路からなる主回路部３１（図６参照）の構成部品が組み付けられており、主基板３０上の配線パターン等によって図６に示される主回路部３１の回路が形成されている。
【００３０】
主回路３１の構成部品としては、電源となる電池３２を保持する電池接片３３，ストロボスイッチ３４（図６参照）の接片３４ａ，シンクロスイッチ３５の他、後述する発振トランジスタなどの回路素子などがある。また、主基板３０には、メインコンデンサ３８と調光回路４０（図６参照）を構成するフォトトランジスタ４１やサイリスタ４２等の各回路部品が実装された副基板４３が組み付けられている。
【００３１】
ストロボ操作部材１２をオン位置に移動することによって、接片３４ａが主基板３０上の接点（図示省略）に接触する。これにより、ストロボスイッチ３４がオンとなって、主回路部３１の充電回路によってメインコンデンサ３８が充電されるとともに、ストロボ発光が許容される。シンクロスイッチ３５は、一対の金属接片３５ａ，３５ｂから構成され、一方の金属接片３５ａがシャッタ羽根の開閉に同期して弾性変形されて他方の金属接片３５ｂに接触することによりオンとなる。ストロボスイッチ３４がオンの状態でシンクロスイッチ３５がオンとなったときに、メインコンデンデンサ３８の充電か完了していれば、ストロボ発光部１１よりストロボ光が照射される。このストロボ装置１８では、ストロボ発光と同時に調光回路４０が作動を開始して、適正露光となるようにストロボ発光量が制御される。
【００３２】
図４に示すように、ストロボ発光部１１は、放電管ケース４６と、この放電管ケース４６の内部に配されたストロボ放電管４７及びリフレクタ（図示省略）と、前面側のプロテクタ４６ａ等とから構成され、主基板３０に組み付けられている。
【００３３】
ストロボ放電管４７は、主回路部３１，メインコンデンサ３８とともに、一定の発光量でストロボ放電管を発光させる基本ユニットを構成している。このストロボ放電管４７は、その一端４７ａがリード線４８を介して主基板３０上の配線パターンに、また他端４７ｂが主基板３０上の配線パターンにハンダ付けされた接片にそれぞれハンダ付けされている。放電管ケース４６の内側には、トリガ電極４９が配されており、その一端４９ａが主基板３０上に実装されたトリガコイル５０（図６参照）の二次側の出力端子に接続されている。
【００３４】
メインコンデンサ３８は、その一対の端子３８ａ，３８ｂが副基板４３の配線パターンにハンダ付けされている。このメインコンデンサ３８と副基板４３との間には保持板５１が配されており、この保持板５１に副基板４３が爪係合によって取り付けられて保持されている。また、保持板５１は、主基板３０に組み付けられた放電管ケース４６に取り付けられる。これにより、副基板４３とメインコンデンサ３８とが主基板３０に組み付けられる。
【００３５】
主基板３０と副基板３８との間には、接続ピン５３ａとリード線５３ｂとが配されている。接続ピン５３ａは、その一端がメインコンデンサ３８の一方の端子３８ａ（プラス側）が接続された副基板４３上の配線パターンに、他端が主基板３０上の配線パターンにそれぞれハンダ付けされている。また、リード線５３ｂは、その一端がメインコンデンサ３８の他方の端子３８ｂ（マイナス側）が接続された副基板４３上の配線パターンに、他端が主基板３０上の配線パターンにそれぞれハンダ付けされている。これにより、メインコデンサ３８が主回路部３１とストロボ放電管４７に電気的に接続されている。なお、上記接続ピン５３ａとリード線５３ｂの回路部分に相当する回路部分を図６中に同じ符号で示してある。
【００３６】
副基板４３には、上記のようにメインコンデンサ３８と接続ピン５３ａ，リード線５３ｂを接続する配線パターンが形成されているとともに、調光回路４０のための配線パターンが形成されており、フォトトランジスタ４１，サイリスタ４２等の調光回路４０の各部品が図６に示されるように接続されている。
【００３７】
また、調光回路４０は、メインコンデンサ３８の一対の端子３８ａ，３８ｂに接続されて、メインコンデンサ３８に対してストロボ放電管４８と並列に接続されるが、メインコンデンサ３８の一方の端子３８ａとは副基板４３上の配線パターン（図６中に符号７０で示す回路部分に相当する）によって直接に接続され、他方の端子３８ｂとは所定の抵抗成分を有するリード線（以下、抵抗線という）５４によって接続されている。このように接続することにより、調光回路４０は、上記の配線パターンと、抵抗線５４とにより、一定光量でストロボ発光することができる基本ユニットに電気的に接続された構成とされている。
【００３８】
フォトトランジスタ４１には、感度調整用の減光フィルタ５７が内部に装着され、先端部に入射開口５８ａ（図５参照）が設けられた略円筒形状の遮光性を有する素子カバー５８が爪結合により装着される。また、素子カバ−５８の先端部の外周には遮光性を有するスポンジ材５９が取り付けられる。
【００３９】
素子カバー５８，スポンジ材５９は、いずれもフォトトランジスタ４１に入射する光を規制するための遮光部材であり、ストロボ発光時に、放電管ケース４６から前カバー１４の内側に漏れ出たストロボ光がフォトトランジスタ４１入射するのを防止する。
【００４０】
図５に示すように、素子カバ−５８の入射開口５８ａは、前カバ−１６の受光窓１０に対面する位置に配される。スポンジ材５９は、素子カバ−５７と前カバー１６との間に入り込んで、前カバー１６と素子カバー５７のすきまから入射開口５８ａにストロボ光が入射するのを防ぐ。
【００４１】
図６に上記ストロボ装置１８の回路を示す。主回路部３１は、電池３２を電源として作動してメインコンデンサ３８を充電する充電回路と、ストロボ放電管４７にトリガ電圧を印加するトリガ回路とからなる。充電回路は、発振トランジスタ６１，発振トランス６２，整流用ダイオード６３等の回路素子を含み、トリガ回路は、トリガコンデンサ６４，トリガコイル５１等の回路素子を含む。
【００４２】
ストロボ操作部材１２の操作によってストロボスイッチ３４がオンされると、上記の充電回路が作動し、電池３２の出力電圧が例えば３００Ｖの高電圧に変換されて出力され、メインコンデンサ３８とトリガコンデンサ６４が充電される。メインコンデンサ３８の充電電圧が所定の規定充電電圧に近づくと、すなわち充電完了に近づくと、発光ダイオード６５が点灯する。この発光ダイオード６５の点灯は、充電完了表示窓７から確認することができる。
【００４３】
メインコンデンサ３８及びトリガコンデンサ６４への充電完了後、ストロボスイッチ３４がオンの状態でシンクロスイッチ３５がオンとなると、トリガコンデンサ６５が放電して、トリガトランス５０の一次側に放電電流を流す。このようにトリガトランス５０の一次側に放電電流が流れると、その二次側に高電圧のトリガ電圧が発生し、これがトリガ電極４９を介してストロボ放電管４７に印加される。これにより、ストロボ放電管４７内の絶縁が破れ、メインコンデンサ３８に充電された電荷がストロボ放電管４８を介して放電し、ストロボ発光が行われる。
【００４４】
ストロボスイッチ３４がオフの状態では、充電回路が不作動となるとともに、シクロスイッチ３５がオンとなってもトリガコンデンサ６４が放電しないためストロボ発光が行われない。
【００４５】
調光回路４０は、上記のように抵抗線５４と、図６中符号７０で示す回路部分に相当する副基板４３上の配線パタ−ンによって、メインコンデンサ３８に接続され、メインコンデンサ３８に対してストロボ放電管４７と配列に接続されている。すなわち、調光回路４０は、抵抗線５４と、符号７０で示す回路部分に相当する配線パターンだけで、主回路部３１，メインコンデンサ３８，ストロボ放電管４７からなる基本ユニットに接続されている。
【００４６】
調光回路４０に設けられた電源コンデンサ７１は、メインコンデンサ３８及びトリガコンデンサ６４と同様に、主回路部３１の充電回路によって充電される。この電源コンデンサ７１の充電時では、ツェナーダイオード７２には順方向に電流が流れる。
【００４７】
ストロボ発光が行われた際には、充電された電源コンデンサ７１は、電源コンデンサ７１からストロボ放電管４７を介して抵抗線５４に向かう方向に放電電流を流す。この放電初期では、ほとんどの放電電流は、ダイオード７３を介してターンオン用コンデンサ７４に流れ、これを充電する。ターンオン用コンデンサ７４の充電が進むと、並列に接続されたツェナダイオード７２と抵抗７５とに放電電流が流れるようになり、フォトトランジスタ４１等を駆動するための一定（例えば６Ｖ程度）の駆動電圧が抵抗７５の両端に発生する。なお、この電源コンデンサ７１の放電時には、ツェナダイオード７２には、逆方向電流が流れる。また、ストロボ発光中には、駆動電圧は一定に保たれるように、電源コンデンサ７１等の回路定数が決められている。
【００４８】
受光素子としてのフォトトランジスタ４１は、上記のように駆動電圧が発生すると、受光窓１０を介して入射するストロボ反射光を受光し、その受光強度に応じた光電流を流す。フォトトランジスタ４１からの光電流によって積分コンデンサ７６が充電されることにより、ストロボ反射光の光量積分が行われる。光量積分の積分値は、直列に接続された積分コンデンサ７６と抵抗７７の両端から積分電圧として取り出され、第１トランジスタ７８の入力電圧として与えられる。なお、受光素子としては、フォトダイオード等を用いてもよい。
【００４９】
第１トランジスタ７８は、入力電圧としての積分電圧が所定の電圧レベルに達するとオンし、第２トランジスタ７９をオンさせる。第２トランジスタ７９がオンとなると、駆動電圧が第２トランジスタ７９を介して第１トランジスタ７８の入力電圧として与えられる。このため、積分電圧が所定の電圧レベルに達すると、第１，第２トランジスタ７８，７９は、駆動電圧が所定レベルまで低下するまでオンし続ける。
【００５０】
第１，第２トランジスタ７８，７９がオンとなると、ターンオン用コンデンサ７４が抵抗８１を介して放電し、この抵抗８１の端子間電圧がサイリスタ４２のゲート電圧として印加されてサイリスタ４２がターンオンする。
【００５１】
サイリスタ４２は、そのアノード端子がメインコンデンサ３８の一方の端子３８ａに接続され、カソードが抵抗線５４を介して他方の端子３８ｂに接続されている。これにより、サイリスタ４２がターンオンすると、メインコンデンサ３８は、ストロボ放電管４７よりも電気抵抗の小さなサイリスタ４２を介して放電し、この瞬間にストロボ発光が停止される。抵抗線５４は、その抵抗成分によりメインコンデンサ３８からサイリスタ４２に流れる電流の大きさを制限することで、サイリスタ４２の破壊・劣化を防止する。
【００５２】
上記のように構成される調光タイプのレンズ付きフイルムユニット２用のストロボ装置１８に対しては、その製造工程において、ストロボ発光検査とともに、調光回路４０の調光機能を調べる調光検査が行われる。ストロボ発光検査及び調光検査に合格したものは、調光タイプのレンズ付きフイルムユニット２の製造工程に送られ、上記のようにユニット本体３に内蔵される。
【００５３】
一方、ストロボ発光検査によって正しくストロボ発光することが確認されるものの、調光検査に不合格となったストロボ装置１８については、調光機能の無効化等を施してから、調光機能を備えないレンズ付きフイルムユニットのストロボ装置として、すなわち一定光量でストロボ発光を行うストロボ装置として転用される。
【００５４】
調光機能を備えないレンズ付きフイルムユニット（以下、標準タイプのレンズ付きフイルムユニットと称する）の外観を図７に示す。標準タイプのレンズ付きフイルムユニット８０は、ユニット本体８１と外装ラベル８２とから構成されており、外観的には、調光用の受光窓１０が形成されていない他は、調光タイプのレンズ付きフイルムユニット２と同様である。
【００５５】
ユニット本体８１の構成を図８に示すように、ユニット本体８１は、調光タイプのものと同様な構成であるが、通常では一定光量のストロボ発光を行うためのストロボ装置８３が組み付けられる。このストロボ装置８３は、調光回路を備えておらず、常にフル発光する、すなわち一定の発光量でストロボ発光する基本ユニットだけで構成される。また、ストロボ発光時には、調光しないので前カバー８４に受光窓１０が設けられていない。
【００５６】
調光検査に不合格となったストロボ装置１８が発生した場合には、図９に示すように、そのストロボ装置１８が調光機能を無効化されてストロボ装置８３に代えてユニット本体８１に組み付けられる。なお、図７ないし図９では、調光タイプのレンズ付きフイルムユニット２と実質的に同じ構成部材には同一の符号を付してある。
【００５７】
上記のように標準タイプのレンズ付きフイルムユニット８０にストロボ装置１８を組み付ける場合には、図１０に示すように、調光回路４０と基本ユニットを接続する接続手段となる抵抗線５４が切断される。調光回路４０と基本ユニットとは、前述のように抵抗線５４と、図６中の符号７０に示される部分に相当する配線パターンだけで接続されているので、抵抗線５４を切断することにより、ストロボ装置１８の基本回路の機能を維持させたまま調光回路４０を基本回路から切り離して、調光回路４０を無効化することができる。なお、符号７０に示される部分に相当する配線パターンも調光回路と基本ユニットを接続する接続手段であるから、これを削り取る等してカットしてもよい。
【００５８】
また、標準型のレンズ付きフイルムユニット８０の前カバ−８４は、フォトトランジスタ４１が臨む位置に調光窓１０が設けられておらず、その部分周辺の内側に素子カバ−５８，スポンジ部材５９を配置するスペースがないため、減光フィルタ−５７を含む素子カバ−５８，スポンジ部材５９が取り除かれて、図１１に示すように、前カバー８４の内側でフォトトランジスタ４１が露呈された状態で組み付けられる。減光フィルタ−５７を含む素子カバ−５８，スポンジ部材５９は、調光機能付きのストロボ装置１８の製造工程に戻すことにより再利用される。
【００５９】
なお、標準型のレンズ付きフイルムユニット８０のユニット本体８１に調光機能付きのストロボ装置１８が適切に組み付けられて、ストロボ発光や充電完了表示が正常に行われるのであれば、ストロボ装置１８の外形寸法や電池３２の装填方向などが通常に組み付けられるストロボ装置８３と異なっていてもかまわない。
【００６０】
上記のように構成されたストロボ装置１８，レンズ付きフイルムユニット２，８０の組み立て工程について説明する。調光機能付きのストロボ装置１８の製造工程では、主回路部３１を構成するトリガコイル５０，発振トランジスタ６１，発振トランス６２，トリガコンデンサ６４等の電子部品や、電池接片３３，金属接片３４ａ，シンクロスイッチ３５等がハンダ付けによって実装された主基板３０に、予めストロボ放電管４７等が組み付けられたストロボ発光部１１が組み付けられる。この後に、ストロボ放電管４７の一端４７ａに接続されたリード線４８が主基板３０の配線パターンに、また他端４７ｂが主基板３０上の接片にハンダ付けされ、さらにトリガ電極４９の一端４９ａがトリガコイル５０に接続される。
【００６１】
一方、電源コンデンサ７１，ツェナダイオード７２，減光フィルタ５７を含む素子カバー５８及びスポンジ材５９が装着されたフォトトランジスタ４１，サイリスタ４２等の調光回路４０を構成する各種部品と、接続ピン５３ａ，リード線５３ｂ，抵抗線５４等とが副基板４３に実装される。そして、この副基板４３に保持板５１とともにメインコンデンサ３８が装着され、メインコンデンサ３８の各端子３８ａ，３８ｂが副基板４３の配線パターンにハンダ付けされる。
【００６２】
上記のように各種部品が組み付けられた副基板４３は、保持板５１によって主基板３０に組み付けられた放電管ケース４６に取り付けられてから、接続ピン５３ａとリード線５３ｂとが主基板３０の配線パターンにそれぞれハンダ付けされる。これにより、調光機能付きのストロボ装置１８が完成する。
【００６３】
完成したストロボ装置１８は、検査工程に送られ、発光検査が実施される。発光検査では、例えばフル発光させたときに所定のストロボ発光量が得られるか否が検査される。ストロボ発光が行われ、所定のストロボ発光量が得られて発光検査に合格したストロボ装置１８に対して、引き続き調光検査が実施される。この調光検査では、調光回路４０を作動させるように、例えば所定の距離に置かれた適当な反射率の被写体に向けてストロボ発光を行い、調光が行われてストロボ発光が停止するか否か、調光されたストロボ発光量が予め設定した範囲内であるか否かが調べられる。
【００６４】
調光が行われ、ストロボ発光量が予め設定した範囲内となって調光検査に合格した場合には、そのストロボ装置１８は、調光タイプのレンズ付きフイルムユニット２の製造工程に送られる。
【００６５】
調光タイプのレンズ付きフイルムユニット２の製造工程では、露光ユニット２６が組み付けられた本体基部１５に、上記のように調光検査に合格したストロボ装置１８が組み付けられ、電池３２が装填される。この後に本体基部１５に前カバー１６が組み付けられ、さらに写真フイルム２１とカートリッジ２２の装填が行われる。写真フイルム２１とカートリッジ２２の装填後、本体基部１５に後カバー１７が組み付けられて、ユニット本体３が完成する。完成したユニット本体３は、所定の検査を受けてから外装ラベル４が貼付される。これにより調光機能付きレンズ付きフイルムユニット２が完成する。
【００６６】
一方、発光検査に合格したが、例えば調光されたストロボ発光量が予め設定した範囲内とならないために調光検査に不合格となったストロボ装置１８は、標準タイプのレンズ付きフイルムユニット８０に転用するための前処理工程に送られる。
【００６７】
前処理工程では、図１０に示されるように、ストロボ装置１８の抵抗線５４を切断する。これにより、ストロボ装置１８は、調光機能だけが無効化される。また、ストロボ装置１８から素子カバー５８，スポンジ材５９が取り外される。もちろん、素子カバー５８には減光フィルタ５７が挿入されているから、これも同時に取り外されることになる。前処理工程による処理が完了したストロボ装置１８、すなわち調光機能が無効化されたストロボ装置１８は、標準タイプのレンズ付きフイルムユニット８０の製造工程に送られる。
【００６８】
なお、取り外された減光フィルタ５７，素子カバー５８，スポンジ材５９は、ストロボ装置１８の製造工程に送られて再利用される。また、ストロボ装置１８を標準タイプのレンズ付きフイルムユニット８０に転用する際に、これらが装着されていても問題ない場合であっても、減光フィルタ５７，素子カバー５８，スポンジ材５９を再利用できるので取り外すのが好ましい。
【００６９】
標準タイプのレンズ付きフイルムユニット８０の製造工程では、露光ユニット２６が組み付けられた本体基部１５に、このレンズ付きフイルムユニット８０用に製造されたストロボ装置８３または上記のように前処理工程を経て調光機能が無効化されたストロボ装置１８が組み付けられる。そして、この後に、電池３２の装填，前カバー８４の組み付けが行われてから、写真フイルム２１とカートリッジ２２が本体基部１５に装填される。この写真フイルム２１とカートリッジ２２の装填後、本体基部１５に後カバー１７が組み付けられてユニット本体８１が完成する。完成したユニット本体８１は、所定の検査を受けてから外装ラベル８２が貼付される。これにより標準タイプのレンズ付きフイルムユニット８０が完成する。
【００７０】
調光機能が無効化されたストロボ装置１８が内蔵されたレンズ付きフイルムユニット８０で、ストロボ撮影を行うと、調光回路４０が作動しないので、フル発光となってストロボ発光部１１からは一定光量のストロボ光が照射される。
【００７１】
上記実施形態では、基本ユニットを構成するメインコンデンサを副基板の配線パターンに接続して、この副基板を介して主基板と電気的に接続しているが、メインコンデンサを直接に主基板の配線パターンに接続してもよい。基本ユニットの電気的な接続が主基板上で行われるとともに、副基板上では調光回路の接続だけが行われて、主基板と副基板との間の配線が基本ユニットと調光回路の接続だけを目的としている場合では、その主基板と副基板との間の配線もしくは、この配線のための配線パターンを切断すればよい。
【００７２】
図１２ないし図１４は、調光回路の特定の素子を動作不能とすることにより、調光機能を無効化する例を示すものである。なお、以下に説明する他は、上記実施形態と同様であり、実質的に同じ構成部材には同一の符号を付して、その説明を省略する。また、図１２，１４では、副基板上の配線パターンを省略して描いてある。
【００７３】
調光機能が無効化されていない状態を示す図１２において、副基板９０には、その両面に配線パターンが形成されており、フォトトランジスタ４１，サイリスタ４２を含む各調光回路９１（図１３参照）の各部品、メインコンデンサ３８，チョークコイル９２が副基板９０上で図１３に示される回路形態で接続されている。
【００７４】
フォトトランジスタ４１，サイリスタ４２は、メインコンデンサ３８と反対側の副基板９０の面に実装されている。サイリスタ４２は、そのカソード端子４２ａ，アノード端子４２ｂ，ゲート端子４２ｃが配線パターンにそれぞれハンダ付けされている。メインコンデンサ３８と副基板９０との間には、チョークコイル９２が巻き付けられたボビン９４が取り付けられている。メインコンデンサ３８は、その一端３８ａがチョークコイル９２の一端と副基板９０上で接続されている。
【００７５】
接続ピン９５ａは、その一端がチョークコイル９２の他端とサイリスタ４２のアノード端子４２ｂが接続された配線パターンに、他端が主基板３０の配線パターンにそれぞれハンダ付けされる。また、リード線９５ｂは、その一端がメインコンデンサ３８の他端３８ｂ及びサイリスタ４２のカソード端子４２ａが接続された配線パターンに、他端が主基板３０の配線パターンにそれぞれハンダ付けされる。これにより、主回路部３１に対して、メインコンデンサ３８及びチョークコイル９２の直列回路と、調光回路９１とが並列に接続される。
【００７６】
この例における調光回路９１では、図１３に示されるように、ターンオン用コンデンサ７４が抵抗８１を介して主回路部３１からの電流で充電される。また、抵抗７５の両端子間に生じる駆動電圧が所定の電圧に達した時点で、駆動電圧をフォトトランジスタ４１に印加する制御用トランジスタ９６が設けられている。
【００７７】
さらに、フォトトランジスタ４１に駆動電圧が印加された瞬間に出力される突入電流で積分コンデンサ７６が充電されないようにして調光精度を高めるために、制御用トランジスタ９６がオンした時点より短い時間だけオンして突入電流が積分コンデンサ７６に流れないようにするバイバス用トランジスタ９７と、このバイパス用トランジスタのオン時間を制御するコンデンサ９８ａと抵抗９８ｂとが設けられている。
【００７８】
メインコンデンサ３８に直列に接続されたチョークコイル９２は、メインコンデンサ３８の放電の際に、放電電流が急激に大きくならいようにする。これにより、ストロボ発光初期における発光量の急激な増加を抑えて調光精度を高めるとともに、サイリスタ４２がタ−ンオンしたときに瞬間的に過大な放電電流が流れることによるサイリスタ４２の破壊・劣化を防止する。
【００７９】
この例では、サイリスタ４２が特定の素子とされており、ストロボ装置を一定光量で発光するものとして転用する場合には、図１４に示されるようにサイリスタのカソード端子４２ａ，ゲート端子４２ｃをそれぞれニッパなどの工具で切断する。このようにすることによって、サイリスタ４２を動作不能とすることで調光回路９１だけを無効化する。
【００８０】
なお、動作不能とする特定の素子としては、調光回路だけを無効化できるものであればサイリスタに限られない。例えば、特定の素子をフォトトランジスタとした場合には、フォトトランジスタの少なくとも一方の端子を電気的に切断すればよい。
【００８１】
上記各実施形態で説明したストロボ装置の回路は一例であり、適宜に変更することができ、また調光回路を無効化するために切断される配線や動作不能とされる特定の素子及び動作不能とするための手法は回路構成、配線形態に応じて適宜に変えることができる。また、上記各実施形態では、付加機能として調光機能を例にして説明したが、付加機能としては、これに限るものではない。さらに、新しく製造されたストロボ装置だけでなく、使用済となって回収されたレンズ付きフイルムユニットから取り出された調光機能付きのストロボ装置を再利用する場合にも本発明を利用できる。
【図面の簡単な説明】
【００８２】
【図１】調光機能付きのストロボ装置を内蔵したレンズ付きフイルムユニットの外観を示す斜視図である。
【図２】図１に示すレンズ付きフイルムユニットの構成を示す分解斜視図である。
【図３】調光機能付きのストロボ装置を示す斜視図である。
【図４】調光機能付きのストロボ装置の要部を示す分解斜視図である。
【図５】素子カバー及びスポンジ材の機能を説明する断面図である。
【図６】調光機能付きのストロボ装置の回路を示す回路図である。
【図７】調光機能を備えないストロボ装置を内蔵したレンズ付きフイルムユニットの外観を示す斜視図である
【図８】一定光量でストロボ発光を行うストロボ装置を内蔵したユニット本体の構成を示す分解斜視図である。
【図９】調光機能が無効化されたストロボ装置を内蔵したユニット本体の構成を示す分解斜視図である。
【図１０】抵抗線が切断された状態を示すストロボ装置の要部斜視図である。
【図１１】素子カバー及びスポンジ材が取り外された状態で組み付けられたフォトトランジスタを示す断面図である。
【図１２】サイリスタを動作不能とする例における副基板を示すものである。
【図１３】サイリスタを動作不能とする例における回路を示す回路図である。
【図１４】サイリスタの端子を切断した状態を示す斜視図である。
【符号の説明】
【００８３】
２，８０  レンズ付きフイルムユニット
３，８１  ユニット本体
１８  ストロボ装置
３０  主基板
３１  主回路部
３８  メインコンデンサ
４１  フォトトランジスタ
４２  サイリスタ
４３，９０  副基板
４７  ストロボ放電管
５４  抵抗線
５８  素子カバー
５９  スポンジ材
４０，９１  調光回路
【図１】
2005099366.tif 000003
【図２】
2005099366.tif 000004
【図３】
2005099366.tif 000005
【図４】
2005099366.tif 000006
【図５】
2005099366.tif 000007
【図６】
2005099366.tif 000008
【図７】
2005099366.tif 000009
【図８】
2005099366.tif 000010
【図９】
2005099366.tif 000011
【図１０】
2005099366.tif 000012
【図１１】
2005099366.tif 000013
【図１２】
2005099366.tif 000014
【図１３】
2005099366.tif 000015
【図１４】
2005099366.tif 000016